(57)【要約】【課題】無線通信を行う無線通信端末装置（例えば、移動局装置）で、ユーザの利便性を高め、無線通信端末装置の使い勝手を良くする。【解決手段】常設番号記憶手段３９が、基地局（基地局無線装置）を介して無線通信を行う基地局通信モードと、他の通信装置（例えば、他の無線通信端末装置）と直接的に無線通信を行う直接通信モードの各運用モードについて常設番号を記憶する。運用モード切替手段４０が、基地局通信モードと直接通信モードを切り替える。常設番号切替手段４０が、運用モード切替手段により運用モードが切り替えられたことに応じて、常設番号の設定状態を切り替える。【選択図】  図２
2010226643.tif 000002
【特許請求の範囲】
【請求項１】
無線通信を行う無線通信端末装置において、
基地局を介して無線通信を行う基地局通信モードと、他の通信装置と直接的に無線通信を行う直接通信モードの各運用モードについて常設番号を記憶する常設番号記憶手段と、
前記基地局通信モードと前記直接通信モードを切り替える運用モード切替手段と、
前記運用モード切替手段により運用モードが切り替えられたことに応じて前記常設番号の設定状態を切り替える常設番号切替手段と、
を備えたことを特徴とする無線通信端末装置。
【発明の詳細な説明】
【技術分野】
【０００１】
本発明は、基地局通信モード及び直接通信モードを有する無線通信端末装置に関し、特に、各運用モード毎に常設番号が設定される無線通信端末装置に関する。
【背景技術】
【０００２】
従来では、統制局を中心とし、複数の基地局装置とそのエリア（基地局通信エリア）内の複数の移動局装置等から構成される無線通信システムにおいては、単信通信（プレストーク通信）などが主体であった。
しかしながら、近年では、送受で別の波を使用し、しかも通信先の選択を呼び出し自動接続することで一般電話のような通信を可能とするシステムが一般的になってきており、複信通信又は双方向通信などと呼ばれる。
【０００３】
このようなシステムでは、通常、一般電話接続のような機能が求められるため、全ての接続制御は統制局の制御装置の管轄の基に行われているが、その発呼形態は移動局装置から統制局へのいわゆる上り方向通信が圧倒的に多い。
このため、移動局装置では、電源投入時に、予め、統制局の呼出番号（電話番号）が設定されることで、発呼する際にはオフフックボタンだけの押下操作で通信要求する構成が一般的である。前記した予め設定される呼出番号（電話番号）を常設番号と言い、いわゆるホットライン的に使用できることが常設番号の最大のメリットである。
なお、移動局装置では、任意の呼出番号（電話番号）を操作入力した後に、オフフックボタンを押下操作することで、常設番号以外の相手に対して通信要求することも可能である。
【先行技術文献】
【特許文献】
【０００４】
【特許文献１】特開２００７−７４４５３号公報
【発明の概要】
【発明が解決しようとする課題】
【０００５】
上述したような無線通信システムでは、基地局通信エリア（基地局通信ゾーン又は基地局通話ゾーンとも言う）のエリア外に、対向する移動局装置のうちの双方又は一方が存在する場合や、或いは、統制局の障害などにより、基地局通信モード（通常通信モード）の制御が不可能となった場合などには、基地局装置を経由せずに移動局装置同士での直接通信を行うことも可能である。具体的には、移動局装置の無線通信端末装置機能に運用モード（通信モード）を切り替える機能を持たせ、基地局装置経由の通信である基地局通信モードと、移動局装置同士で直接通信する直接通信モードに切り替えることで実現する。
【０００６】
しかしながら、従来では、基地局装置経由の通信である基地局通信モードと、移動局装置同士で直接通信する直接通信モードに依存せず、設定される常設番号は一つのみであった。このため、例えば、上述のように、基地局通信エリア内の統制局を常設番号の通信先として設定してある場合には、移動局装置では、運用モードが移動局装置同士で直接通信する直接通信モードにおいては、常設番号に通信を試みても通信することができず、通信可能な任意の相手局の呼出番号を操作入力しなければならない、などの問題があった。
【０００７】
本発明は、このような従来の事情に鑑み為されたもので、基地局通信モード及び直接通信モードの各運用モード毎に常設番号が設定される無線通信端末装置を提供することを目的とする。これにより、例えば、運用モードが複数ある無線通信システムにおいて、それぞれの運用モードに対応した常設番号の設定及び運用モードに対応した常設番号の切り替え操作を実現し、ユーザ（人）の利便性を高め、無線通信端末装置の使い勝手を良くする。
【課題を解決するための手段】
【０００８】
上記目的を達成するため、本発明では、無線通信を行う無線通信端末装置において、次のような構成とした。
すなわち、常設番号記憶手段が、基地局を介して無線通信を行う基地局通信モードと、他の通信装置と直接的に無線通信を行う直接通信モードの各運用モードについて、常設番号を記憶する。運用モード切替手段が、前記基地局通信モードと前記直接通信モードを切り替える。常設番号切替手段が、前記運用モード切替手段により運用モードが切り替えられたことに応じて、前記常設番号の設定状態を切り替える。
【０００９】
従って、基地局通信モード及び直接通信モードの各運用モード毎に常設番号が設定される無線通信端末装置を実現することができ、これにより、例えば、運用モードが複数ある無線通信システムにおいて、それぞれの運用モードに対応した常設番号の設定及び運用モードに対応した常設番号の切り替え操作を実現し、ユーザ（人）の利便性を高め、無線通信端末装置の使い勝手を良くすることができる。
【００１０】
ここで、無線通信端末装置としては、種々なものが用いられてもよい。
また、直接通信の相手となる他の通信装置としては、種々なものが用いられてもよく、例えば、他の無線通信端末装置を用いることができる。
また、運用モードの切り替えは、例えば、人による操作により手動で行われ、或いは、装置により自動で行われる。
また、運用モードの切り替えに応じて常設番号の設定状態を切り替える態様としては、種々なものが用いられてもよく、例えば、装置の内部における設定状態（例えば、現在の常設番号の管理の状態など）を切り替える態様や、装置の外部へ出力するものの設定状態（例えば、表示する常設番号又はそれに対応する情報の状態など）を切り替える態様などを用いることができる。
【００１１】
一構成例として、無線通信端末装置では、前記運用モード切替手段により切り替えられている運用モードについての常設番号（又は、それに対応した情報）を表示する表示手段を備える。また、前記常設番号切替手段は、前記運用モード切替手段により運用モードが切り替えられたことに応じて、前記表示手段により表示される常設番号（又は、それに対応した情報）を切り替える。
【００１２】
従って、各運用モード毎に表示される常設番号（又は、それに対応した情報）を切り替えることができ、これにより、例えば、オフフックボタンの押下などにより、表示されている常設番号（又は、それに対応した情報）の相手へ発呼する構成とすることが可能であり、ユーザの利便性や使い勝手を向上させることができる。
ここで、運用モードに応じて表示する情報としては、例えば、運用モードに対応した常設番号の情報が用いられてもよく、或いは、当該常設番号に対応した通信相手の名称などの情報が用いられてもよい。
【００１３】
一構成例として、無線通信端末装置では、前記運用モード切替手段により切り替えられている運用モードについての常設番号以外の呼出番号に対する発呼があった場合には、当該運用モードについての常設番号（又は、それに対応した情報）に代えて、当該呼出番号（又は、それに対応した情報）を前記表示手段により表示するラストナンバーリコール手段を備える。
【００１４】
従って、運用モードに対応した常設番号以外の呼出番号に対する発呼があった場合には、その呼出番号（又は、それに対応した情報）を表示することが行われ、これにより、例えば、オフフックボタンの押下などにより、表示されている呼出番号（又は、それに対応した情報）の相手へ発呼する構成とすることが可能であり、ユーザの利便性や使い勝手を向上させることができる。
【発明の効果】
【００１５】
以上説明したように、本発明によると、基地局通信モード及び直接通信モードの各運用モード毎に常設番号が設定される無線通信端末装置を実現することができ、これにより、例えば、ユーザ（人）の利便性を高め、無線通信端末装置の使い勝手を良くすることができる。
【図面の簡単な説明】
【００１６】
【図１】本発明の一実施例に係る無線通信システムの構成例を示す図である。
【図２】本発明の一実施例に係る移動局装置の構成例を示す図である。
【図３】それぞれの運用モードにおける移動局装置の発呼時の処理の手順の一例を示す図である。
【図４】移動局装置において基地局通信モード（通常通信モード）時に画面に表示される情報の一例を示す図である。
【図５】移動局装置において直接通信モード時に画面に表示される情報の一例を示す図である。
【図６】一般的な表示画面の一例を示す図である。
【図７】表示画面の一例を示す図である。
【図８】表示画面の一例を示す図である。
【発明を実施するための形態】
【００１７】
本発明に係る実施例を図面を参照して説明する。
本実施例に係る無線通信システムは、例えば、災害時の行政連絡用として利用されるデジタル移動通信システムなどに適用することができる。
また、本実施例では、無線通信端末装置として、携帯型の端末装置（移動局装置）を例示するが、例えば、車載型や固定型など、種々なものが用いられてもよい。
【実施例１】
【００１８】
本発明の第１実施例を説明する。
図１には、本発明の一実施例に係る無線通信システムの構成例を示してある。
本例の無線通信システムは、統制局１と、複数の移動局装置２１、２２、２３を備えている。
統制局１は、運用者（人）が通信を操作するための統制台１１、システムの中枢となる回線制御装置１２、移動局装置２１〜２３と無線通信を行う基地局無線装置１３、などから構成されている。
【００１９】
また、基地局無線装置１１の電波が届く範囲として、基地局通信エリア１４が存在する。基地局通信エリア１４のエリア内では、通常、移動局装置２１〜２３によりシステム波である基地局波（例えば、周波数ｆ１）を用いて無線通信が行われ、基地局通信エリア１４のエリア外では、移動局装置２１〜２３により直接通信波（例えば、周波数ｆ２（≠ｆ１））を用いて無線通信が行われる。
図１の例では、移動局装置２１及び移動局装置２２が基地局通信エリア１４のエリア内に存在し、移動局装置２３が基地局通信エリア１４のエリア外に存在する。
【００２０】
本例の無線通信システムにおいて行われる概略的な動作の例を示す。
統制台１１と移動局装置２１、２２とは、移動局装置２１、２２と基地局無線装置１３との間で無線通信を行い、回線制御装置１２を介して、互いに通信することができる。
また、基地局通信エリア１４のエリア内に存在する移動局装置２１と移動局装置２２とは、それぞれが基地局無線装置１３との間で無線通信を行い、当該基地局無線装置１３を介して、互いに通信することができる。
また、基地局通信エリア１４のエリア外（エリア内でもよい）に存在する移動局装置２３は、他の移動局装置２２と直接的に通信することができる。
【００２１】
図２には、移動局装置２１〜２３の構成例を示してある。なお、本例では、各移動局装置２１〜２３の構成や動作は同様である。
本例の移動局装置２１〜２３は、アンテナ３１、送受信部３２、受信信号処理部３３、スピーカ３４、表示部３５、操作部（本例では、プレストークボタンを含む）３６、マイク３７、送信信号処理部３８、例えばメモリから構成された記憶部３９を有する制御部４０を備えている。
【００２２】
本例の移動局装置２１〜２３において行われる概略的な動作の例を示す。
制御部４０は、全体的な制御や各種の処理を行う。また、記憶部３９には、動作に必要な各種の情報が記憶されている。
アンテナ３１により無線受信された信号は、送受信部３２及び受信信号処理部３３により処理されて、受信信号に含まれる音声信号がスピーカ３４から音声として出力される。また、受信信号に表示対象となる情報が含まれる場合には、その情報が制御部４０により表示部３５の画面に表示出力される。
操作部３６は、ユーザ（人）により操作されてユーザから各種の操作を受け付ける。制御部４０は、操作部３６により受け付けられた操作の内容に応じて各種の処理や制御を行う。
マイク３７から入力された音声の信号は、送信信号処理部３８及び送受信部３２により処理されて、アンテナ３１から無線により送信される。
【００２３】
本例の移動局装置２１〜２３は、基地局通信モードの通信を行う機能と、直接通信モードの通信を行う機能と、これらの運用モードを切り替える機能を有している。
また、本例の移動局装置２１〜２３は、プレストークの通信を行う機能ばかりでなく、双方向の通信を行う機能も備えている。
【００２４】
次に、移動局装置２１〜２３における運用モードと常設番号について説明する。
なお、各運用モードの常設番号は、各移動局装置２１〜２３の記憶部３９に予め設定済みで記憶されているとする。また、本例では、１つのモードについて常設番号は１つであり、また、運用モードの切り替えは、基本的には操作者（ユーザ）により手動で行われるが、システムに障害が発生したときなど（或いは、任意のときでもよい）に装置により自動的に行われてもよい。
【００２５】
また、移動局装置２１〜２３では、ある運用モードが設定されているときには、表示画面にその運用モードに対応した常設番号が常に表示される。
本例の移動局装置２１〜２３では、電源を入れると、初期的に、基地局通信モードが設定されて、それに対応した常設番号が表示される。このように、本例では、移動局装置２１〜２３の電源を投入した後に、基地局通信モードで起動した場合を示すが、他の例として、直接通信モードで起動した場合には、移動局装置２１〜２３では、直接通信モードの常設番号が設定されて、その常設番号が表示される。
また、本例では、運用モードの切り替えと表示される常設番号の切り替えは、例えば、同時に行われる。
【００２６】
また、各運用モードに対応する常設番号について、例えば、操作者により任意に設定や変更することができる構成が用いられてもよい。
具体的には、本例では、システムの導入時、或いは、その後にシステム管理責任者が、各移動局装置２１〜２３におけるそれぞれの運用モードに対応した常設番号を予め設定しているが、各移動局装置２１〜２３の操作者が各運用モードの常設番号を任意に変更することも可能である。一例として、移動局装置２２において、基地局通信モードにおける常設番号を移動局装置２１に対応するもの（本例では、２０００とする）に設定又は変更したい場合には、操作者は、通話していない状態において、移動局装置２２内の電話帳から登録されている希望の呼出番号を検索するなどして、その呼出番号を常設番号として設定又は変更することができる。
【００２７】
また、本例では、統制台１１や各移動局装置２１〜２３などの通信装置のそれぞれの呼出番号は、例えば、基地局通信モードでも直接通信モードでも同一であり、運用モード毎に異なる周波数が無線通信に使用される。
また、各移動局装置２１〜２３において、通常は、各運用モード毎に常設番号（通信する相手）は異なるが、異なる運用モードに同一の常設番号が設定されてもよい。
また、常設番号として、グループ通信の呼出番号（グループ番号）を用いることもできる。グループ番号では、例えば、グループ通信を行う複数の通信装置が関連付けられており、その中（グループの中）の一の通信装置が発呼すると、他の全ての通信装置が着信する。
【００２８】
図３には、それぞれの運用モードにおける移動局装置２２の発呼時の処理の手順の一例を示してある。なお、移動局装置２２では、常設番号又は任意の番号を用いて呼び出しの操作が行われる。
本例では、移動局装置２２において、基地局通信モードの常設番号として統制台１１に対応するもの（本例では、１３００とする）が設定されており、直接通信モードの常設番号として移動局装置２３に対応するもの（本例では、２２００とする）が設定されているとする。
【００２９】
まず、システムに参加すべく移動局装置２２の操作者は、電源を投入（オン）する（ステップＳ１）。このとき、移動局装置２２では、基地局通信モード（通常通信モード）で起動し、統制台１１の番号（１３００）が常設番号として設定され、そのモニター部（表示部３５）に呼出番号として常設番号（１３００）が表示される（ステップＳ２）。
【００３０】
図４には、移動局装置２２において、基地局通信モード（通常通信モード）時に、制御部４０により表示部３５の画面１０１に表示される情報の一例を示してある。
具体的には、基地局通信モードであることを示す情報「通常モード」や、無線電波の強度を示す情報（アンテナのマーク）や、現在設定されている常設番号の情報「１３００」や、操作者に対する説明の情報「オフフックで発信します」が表示されている。
【００３１】
次に、移動局装置２２の操作者が通信相手として統制台１１を呼び出したい場合には（ステップＳ３）、統制台１１の呼出番号（１３００）は常設番号として既に表示部３５に表示されているため、操作者はその番号を目視して、発呼操作を行う（ステップＳ４）。この発呼操作としては、一般的には、オフフックボタンの１回の押下のみの操作でよく、本例でもその操作を採用している。
以降、被呼側である統制台１１との間で回線制御装置１２を介した回線接続を経て通話を行い（ステップＳ５）、通話終了後に回線切断する。なお、この通話や回線切断の処理については、例えば、従来の無線通信手順と同様な処理を用いることができる。
ここで、操作者から電源オフの指示があった場合には（ステップＳ６）、移動局装置２２はその電源をオフにし（ステップＳ７）、また、そのような指示がない場合には、ステップＳ２の処理へ戻る。
【００３２】
次に、基地局通信モードにおいて、移動局装置２２の操作者が通信相手として統制台１１以外を呼び出したい場合には（ステップＳ８）、操作者は、例えば、希望の通信相手の呼出番号を手動で入力することや、或いは、希望の通信相手の呼出番号が移動局装置２２内の電話帳に登録されているときにはその呼出番号を検索することにより、希望の通信相手の呼出番号を画面に表示させる（ステップＳ９）。その後、操作者は、その番号を目視して、発呼操作（本例では、オフフックボタンの押下）を行う（ステップＳ１０）。これにより行われる以降の回線接続から切断までの動作等については、ステップＳ５〜ステップＳ７の処理と同様である。
【００３３】
次に、移動局装置２２の操作者が、基地局通信モードから直接通信モードへ手動で切替操作をした場合には（ステップＳ１１）、その後、移動局装置２２は直接通信モードへ遷移し、移動局装置２３の番号（２２００）が常設番号として設定され、そのモニター部（表示部３５）に呼出番号として常設番号（２２００）が表示される（ステップＳ１２）。
【００３４】
図５には、移動局装置２２において、直接通信モード時に、制御部４０により表示部３５の画面１０２に表示される情報の一例を示してある。
具体的には、直接通信モードであることを示す情報「直接モード」や、無線電波の強度を示す情報（アンテナのマーク）や、現在設定されている常設番号の情報「２２００」や、操作者に対する説明の情報「オフフックで発信します」が表示されている。
【００３５】
次に、移動局装置２２の操作者が通信相手として移動局装置２３を呼び出したい場合には（ステップＳ１３）、移動局装置２３の呼出番号（２２００）は常設番号として既に表示部３５に表示されているため、操作者はその番号を目視して、発呼操作を行う（ステップＳ１４）。この発呼操作としては、一般的には、オフフックボタンの１回の押下のみの操作でよく、本例でもその操作を採用している。
以降、被呼側である移動局装置２３との間で直接的な回線接続を経て通話を行い（ステップＳ１５）、通話終了後に回線切断する。なお、この通話や回線切断の処理については、例えば、従来の無線通信手順と同様な処理を用いることができる。
ここで、操作者から電源オフの指示があった場合には（ステップＳ１６）、移動局装置２２はその電源をオフにし（ステップＳ７）、また、そのような指示がない場合には、ステップＳ１２の処理へ戻る。
【００３６】
次に、直接通信モードにおいて、移動局装置２２の操作者が通信相手として移動局装置２３以外を呼び出したい場合には（ステップＳ１７）、操作者は、例えば、希望の通信相手の呼出番号を手動で入力することや、或いは、希望の通信相手の呼出番号が移動局装置２２内の電話帳に登録されているときにはその呼出番号を検索することにより、希望の通信相手の呼出番号を画面に表示させる（ステップＳ１８）。その後、操作者は、その番号を目視して、発呼操作（本例では、オフフックボタンの押下）を行う（ステップＳ１９）。これにより行われる以降の回線接続から切断までの動作等については、ステップＳ１５、ステップＳ１６、ステップＳ７の処理と同様である。
【００３７】
次に、ラストナンバーリコール機能について説明する。
ラストナンバーリコール機能では、ある移動局装置２１〜２３において、常設番号以外の呼出番号で発呼した通信相手が常設番号の通信相手よりも発呼優先度が高いものとして、回線の切断後に当該呼出番号を表示部３５の画面に表示させるものであり、操作者は、次回以降の通信を開始したい場合には、その番号を目視して、発呼操作（一般的には、オフフックボタンの１回の押下のみの操作であり、本例でもその操作を採用している）を行うことで、その呼出番号で発呼することが行われる。
本例では、各移動局装置２１〜２３の設定により、ラストナンバーリコール機能のオン／オフの状態を選択切替することが可能である。
【００３８】
このように、ラストナンバーリコール機能では、最後に通信接続した通信相手の呼出番号が画面に表示され、リダイヤルの操作が容易となる。
なお、ラストナンバーリコール機能がオンであり、設定されている運用モードの常設番号以外の呼出番号に発呼したときには、回線切断後にその呼出番号が画面に表示され（常設番号は画面には表示されず）、そのときの運用モードが保たれる。その後、運用モードが切り替えられると、例えば、切り替え先の運用モードに対応した常設番号が画面に表示されるようになる。また、例えば、ラストナンバーリコール機能がオンであるときに、移動局装置２１〜２３の電源を一旦オフにしてからオンにすると、ラストナンバーリコール機能がオフとなる。また、ラストナンバーリコール機能による呼出番号の表示を行う状態と運用モードに応じた常設番号の表示を行う状態を切り替える操作が設けられてもよい。
【００３９】
以上のように、本例では、統制台１１と回線制御装置１２を有した統制局１と、基地局無線装置１３（本例では、統制局１に含まれる）と、移動局装置２１〜２３によって構成され、移動局装置２１〜２３は、基地局無線装置１３を介した通信を行う基地局通信モードと、移動局装置同士で通信を行う直接通信モードを有する無線通信システムにおいて、移動局装置２１〜２３では、２つのそれぞれの通信モードに対応した常設番号を設定することができ、つまり、基地局通信の常設番号と直接通信の常設番号を設定することができる。
具体例として、各移動局装置２１〜２３では、基地局通信及び直接通信という２つの運用モードに応じた常設番号の登録エリアを設けてあり、操作者が任意に運用モードを切り替えることが可能である。
【００４０】
また、本例の移動局装置２１〜２３では、待ち受け状態時に、登録済みの電話帳データを用いて、それぞれの運用モードに対応した常設番号の登録又は解除を行うことができる。
また、本例では、移動局装置２１〜２３に設定される常設番号としては、個別番号又はグループ番号のいずれを設定することも可能である。
また、本例の移動局装置２１〜２３では、待ち受け状態時に、常設番号と最後にダイヤル（呼び出し）した番号のうちのいずれを表示するかを選択的に切替設定することが可能である。
【００４１】
このように、本例の移動局装置２１〜２３では、例えばプレストーク（ＰＴＴ：Ｐｒｅｓｓ−Ｔｏ−Ｔａｌｋ）ボタンを押下するだけで所定の相手と通信が可能となる常設番号を基地局通信モードと直接通信モードの２種類で設定し、更に、常設番号よりも優先順位が高い通信手法として、最後に話した通信相手に対してＰＴＴボタンを押下することで通信を可能とするラストナンバーリコール機能を設けてある。ここで、プレストークボタンは、オフフックボタンの一例である。
【００４２】
従って、本例では、運用モードが複数ある無線通信システムにおいて、異なる運用モードにおいても、端末（本例では、移動局装置２１〜２３）の操作性の向上を図ることができ、常設番号を使用する最良なシステムの構築や無線通信方法を実現することができる。
【００４３】
なお、本例の移動局装置２１〜２３（無線通信端末装置の一例）では、記憶部３９が各運用モード（基地局通信モード、直接通信モード）の常設番号を記憶する機能により常設番号記憶手段が構成されており、操作者が操作部３６に対して所定の操作を行ったことに応じて又は予め設定された条件に従って装置により自動的に、制御部４０が運用モードを切り替える機能により運用モード切替手段が構成されており、制御部４０が運用モードの切り替えに応じて常設番号の設定状態を切り替える機能により常設番号切替手段が構成されており、制御部４０による制御により表示部３５が現在設定されている運用モードの常設番号（又は、それに対応する情報）を表示する機能により表示手段が構成されており、また、制御部４０による制御によりラストナンバーリコールの処理を行う機能によりラストナンバーリコール手段が構成されている。
【実施例２】
【００４４】
本発明の第２実施例を説明する。
本例では、上記した第１実施例に係る無線通信システムの移動局装置２１〜２３に適用することが可能な技術について説明する。
（背景）
従来では、例えば携帯電話等の端末において呼び出しを行う場合には、使用者（ユーザ）が入力した電話帳等から検索を行って電話番号（呼出番号）を選択するなどして、呼び出しを行う。この際、ある特定の決まった所にしか呼び出しを行わない場合や、若しくは、特定の呼び出し先が多い場合には、電話帳等からの選択作業が煩雑になってしまう。
また、最近は、特定の入力部（例えば、専用ボタン等）により簡単に呼び出しを行うことができるものもあるが、入力部が増えるため、価格的に不利になる場合がある。
【００４５】
（本例の技術）
本例の携帯電話等の端末装置（例えば、上記した第１実施例に係る移動局装置２１〜２３に適用することが可能である）では、選択呼び出し機能を有しており、選択呼び出し先を表示する表示部と、選択呼び出し先を選択するための選択入力部と、呼び出しを行うための呼び出し入力部を備えている。
【００４６】
図８には、例えば従来の端末装置の表示部により表示される一般的な（標準的な）表示画面１１３の内容の一例を示してある。具体的には、無線電波の強度を示す情報（アンテナのマーク）や、電池の残量を示す情報（電池のマーク）や、日付と曜日と時刻の情報が表示されている。
図６には、本例の端末装置の表示部により表示される表示画面１１１の内容の一例を示してある。具体的には、図８に示される表示内容に加えて、常に、優先選択呼び出し先の電話番号（図６の例では、「０１２３−４５−６７８９」）を表示しておく。
図７には、本例の端末装置の表示部により表示される表示画面１１２の内容の一例を示してある。具体的には、図８に示される表示内容に加えて、常に、優先選択呼び出し先の名称（図７の例では、「自宅」）を表示しておく。
【００４７】
図６や図７に示される表示部の表示状態において、端末装置では、使用者により呼び出しを行うための呼び出し入力部（例えば、オフフックボタン等）が押下されることに応じて、表示部に表示された優先選択呼び出し先の呼出番号に対して呼出を行う。端末装置では、呼び出しの後に通信が終了した場合には、図６や図７に示されるように、優先選択呼び出し先の情報を表示部に表示し、常に、呼び出しを行うための呼び出し入力部の操作のみで選択呼び出しが可能なようにしておく。
【００４８】
このように、本例の端末装置では、優先される呼び出し先の選択に関して、例えば、優先選択呼び出し先を限定することができる場合や、特定の呼び出し先が多い場合に、選択呼び出し先の選択手順を簡素化することができ、また、優先選択呼び出し先を選ぶための入力部を減らすことが可能であり、価格的に有利な選択呼び出し機能の簡易操作化を実現することができる。これにより、例えば、追加の操作或いは追加の入力部などを不要として、使用者にとって、簡易に優先呼び出し選択を行うことを可能とすることができる。
【００４９】
ここで、特に、図６や図７に示される表示態様は、上記した第１実施例に係る移動局装置２１〜２３に適用することが可能である。具体的には、図２に示される移動局装置２１〜２３の表示部３５の画面に、運用モード（本例では、基地局通信モード、直接通信モード）或いはラストナンバーリコール機能に対応した番号を表示する態様ばかりでなく、その番号に該当する名称等を表示して、使用者にとって呼び出し先の把握をわかり易くするような態様を用いることもできる。
【００５０】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００５１】
１・・統制局、  １１・・統制台、  １２・・回線制御装置、  １３・・基地局無線装置、  １４・・基地局通信エリア、  ２１〜２３・・移動局装置、  ３１・・アンテナ、  ３２・・送受信部、  ３３・・受信信号処理部、  ３４・・スピーカ、  ３５・・表示部、  ３６・・操作部、  ３７・・マイク、  ３８・・送信信号処理部、  ３９・・記憶部、  ４０・・制御部、  １０１、１０２、１１１〜１１３・・画面、
【図１】
2010226643.tif 000003
【図２】
2010226643.tif 000004
【図３】
2010226643.tif 000005
【図４】
2010226643.tif 000006
【図５】
2010226643.tif 000007
【図６】
2010226643.tif 000008
【図７】
2010226643.tif 000009
【図８】
2010226643.tif 000010